(57)【要約】  本発明は顧客端末機と管理者端末機を連動させて商品の販売をサポートするマーケティングシステムにおいて、前記管理者端末機にイベントページ製作ツールを提供してイベントページに対する情報を受信し、前記受信されたイベントページを前記顧客端末機に送信する中央サーバー（１００）と、前記中央サーバーからイベントページ製作ツールを受信して複数の該変数を入力してイベントページを製作する管理者端末機（２００）と、前記中央サーバーから前記管理者端末機が製作したイベントページを受信して前記イベントページで提供する過程を実行しながら必要情報を入力する顧客端末機とを含み、前記イベントページ（４００）はメイン画面にディスプレイされるメインイメージ（４１０）と、前記メイン画面の一部分にディスプレイされる一つ以上の移動ボタン（４２０）とを含み、前記メインイメージと前記移動ボタンはそれぞれのＵＲＬがリンクされて前記メインイメージ或いは移動ボタンイメージを入力すれば該ＵＲＬに移動することにより迅速にイベントページを製作することができて効率的なイベントページのマーケティングを可能にしたマーケティングシステムに関する。
2021526264.tif 000002
【特許請求の範囲】
【請求項１】
顧客端末機と管理者端末機を連動させて商品の販売をサポートするマーケティングシステムにおいて、
前記管理者端末機にイベントページ製作ツールを提供してイベントページに対する情報を受信し、前記受信されたイベントページを前記顧客端末機に送信する中央サーバー（１００）と、
前記中央サーバーからイベントページ製作ツールを受信して複数の該変数を入力させてイベントページを製作する管理者端末機（２００）と、
前記中央サーバーから前記管理者端末機が製作したイベントページを受信して前記イベントページで提供する過程を実行しながら必要情報を入力する顧客端末機と、を含む販売サポートマーケティングシステム。
【請求項２】
前記イベントページ（４００）はメイン画面にディスプレイされるメインイメージ（４１０）と、
前記メイン画面の一部分にディスプレイされる一つ以上の移動ボタン（４２０）とを含み、
前記メインイメージと前記移動ボタンはそれぞれのＵＲＬがリンクされて前記メインイメージ或いは移動ボタンイメージを入力すれば、該ＵＲＬに移動されることを特徴とする請求項１に記載の販売サポートマーケティングシステム。
【請求項３】
前記メインイメージとリンクされるメインイメージアドレスを入力してアップロードすることができるメインアドレス入力メニューと、
前記移動ボタンのイメージをアップロードすることができるボタンイメージアップロードメニューと、
前記移動ボタンとリンクされる移動ボタンアドレスを入力してアップロードすることができるボタンアドレス入力メニューとで構成されて、
前記管理者端末機は前記メインイメージアップロードメニューと前記メインアドレス入力メニューの入力を通じてメインイメージとメインイメージアドレスを前記中央サーバーにアップロードさせ、
前記ボタンイメージアップロードメニューと前記ボタンアドレス入力メニューの入力を通じて移動ボタンがイメージと移動ボタンのアドレスを前記中央サーバーにアップロードさせることを特徴とする請求項１に記載の販売サポートマーケティングシステム。
【請求項４】
前記移動ボタン（４２０）は、
前記顧客端末機で商品を購買することができる購買ページのＵＲＬリンクが連動された第１移動ボタン（４２１）と、
顧客端末機の名前、連絡先、性別、出生日情報を含む個人情報を入力するアンケート調査回答ページが連動された第２移動ボタン（４２２）と、
商品の販売情報が提供されたページのＵＲＬリンクが連動された第３移動ボタン（４２３）とを含み、
前記それぞれの移動ボタンをクリックした時、端末機にディスプレイされるそれぞれのページは一側端にイベントページ（４００）のメインに戻るメインボタン４３０を含むことを特徴とする請求項２に記載の販売サポートマーケティングシステム。
【請求項５】
前記中央サーバー（１００）は、
前記顧客端末機及び前記管理者端末機とデータを送受信する送受信部（１１０）と、
前記管理者端末機（２００）にイベントページを製作するための製作ページを提供し、前記製作ページには情報を入力するための項目入力画面情報を提供する製作ツール（１２０）とが含まれ、
また前記中央サーバーは前記製作ページを通じて管理者端末機によって入力されたイベントページの構成情報を保存するページ情報データベース（１３０）と、
前記イベントページに接続して顧客端末機が入力する情報を収集する顧客情報取得部（１４０）と、
前記顧客情報取得部（１４０）によって収集された顧客端末機の情報を保存する顧客情報データベース（１５０）と、
前記顧客情報データベース（１５０）に保存された複数の顧客端末機情報を年齢、性別、イベント内に存在するそれぞれのボタンクリック数、流入経路を含む項目別に分類し、これをチャート化するかまたは統計分析して結果ページ（５００）を生成するデータ分析モジュールと、
前記データ分析モジュールを通じて分析された資料をエクセルファイルに変換する機能を実行するデータ出力モジュール（１７０）とを含むことを特徴とする請求項４に記載の販売サポートマーケティングシステム。
【請求項６】
前記メインイメージアドレスには流入経路情報が含まれ、前記顧客端末機が何れの位置で前記イベントページに接続すれば前記顧客情報取得部（１４０）は顧客が接続したＵＲＬを獲得し、前記ＵＲＬから流入経路情報を確認して顧客端末機の流入経路を区分し、また前記顧客端末機（２１０）が接続した接続地域を顧客端末機（２１０）のＧＰＳシステムを通じて自動的に収集するかまたは基地局を通じて顧客端末機の位置情報を収集し、前記顧客端末機（２１０）を通じて入力されたアンケート調査個人情報データをさらに取得することを特徴とする請求項５に記載の販売をサポートするマーケティングシステム。
【請求項７】
前記中央サーバーは製作が完了されたイベントページに接続する複数の顧客端末機で入力された情報をチャート化または統計分析してその結果を前記管理者端末機（２００）に伝達してディスプレイする結果ページ（５００）を提供することを特徴とする請求項６に記載の販売をサポートするマーケティングシステム。
【請求項８】
前記製作ページ（３００）はＩＤとパスワードを入力するログイン画面（３１０）と、
前記管理者端末機（２００）で登録するＩＤとパスワードを含む会員情報を新規登録するページを提供する会員情報入力ボタン（３２０）とを含むことを特徴とする請求項７に記載の販売サポートマーケティングシステム。
【請求項９】
前記結果ページ（５００）は、
顧客情報データベースに保存された個人情報を総合して各項目別に分析した顧客詳細情報シート（５１０）と、
前記イベントページに接続した顧客の性別を分析して見せる性別分析チャート（５２０）と、
各曜日別接続者数を分析してグラフ化した週間回答件数チャート（５３０）と、
年齢別接続者数を分析してグラフ化した年齢別チャート（５４０）とを含み、
前記結果ページ（５００）はデータ出力モジュール（１７０）を用いてそれぞれの統計資料をエクセルファイルに変換することができることを特徴とする請求項７に記載の販売サポートマーケティングシステム。
【請求項１０】
前記顧客詳細情報シートには、イベントページ接続者数、メインボタンクリック数、１番移動ボタンクリック数、２番移動ボタンクリック数、３番移動ボタンクリック数が含まれ、前記クリック数を分析してイベント関心率、購買可能率、得意先可能率、会員加入率、イベント活性化率及びＳＮＳ依存率に分類して顧客の詳細情報を提供することを特徴とする請求項９に記載の販売サポートマーケティングシステム。
【発明の詳細な説明】
【技術分野】
【０００１】
本発明は販売サポートマーケティングシステムに関し、さらに詳しくは、管理者が直接イベントページを容易に製作することができるプラットフォームを提供して、前記管理者端末機によって製作が完了されたイベントページに訪問する顧客端末機の情報を取得する機能を行うことで、顧客の物品購買可能率またはイベント関心率またはそれぞれのＳＮＳに掲示されたイベントページの活性化率を分析して自動的に前記管理者端末機にグラフ及びチャート化された情報を送信することによりマーケティング管理をより容易で、且つ効率的にすることができるようにした販売サポートマーケティングシステムに関する。
【背景技術】
【０００２】
現代社会で広告媒体及び印刷技術の発達により、多様な印刷媒体ないし広告形態によって各種広告印刷物が幅広く用いられている。
【０００３】
近来、このような広告物を提供する方法は過去印刷媒体のみに頼った様相からオンライン媒体にまでその幅が拡がっている成り行きである。
【０００４】
また、広告コンテンツを依頼する方法も需要者が設定した基本コンセプトを通じて広告製作者が完成した形態を製作して印刷物で提供した方式からウェブサーバーで需要者自ら既設定された各種テンプレート及びコンテンツを選択してＤＩＹ方式で広告物を設定することができるツールを提供してより多様な内容とデザインで広告物を製作することができる状況に至るようになった。
【０００５】
韓国公開特許第１０−２０１５−０１３６１７３号公報によれば、ホームページの製作を一つのプログラムを通じて完成することができるようにしたホームページ製作システム及び方法が開示される。
【０００６】
しかしながら、前記従来の技術によれば、完成されたホームページをよりたくさんの顧客に露出するために前記ホームページのＵＲＬをそれぞれのＳＮＳに掲示する。
【０００７】
この時、より効率的にマーケティングを管理するために、イベント関心率の低いＳＮＳとイベント関心率の高いＳＮＳを区分する必要性があり、近来には前記ホームページに接続する顧客がどんな経路を通じて最も多く流入されたかを把握するために別途のアンケート調査を実施して情報を収集し、収集された基本情報を前記管理者が直接データを再整列して分析する一連の作業過程を別途に施行する。
【０００８】
しかしながら、前記のような方法はホームページを管理するのにたくさんの費用と時間がかかるだけでなく、マーケティングの管理に対する知識を有しない一般人にとっては分散している顧客情報を収集し、これを分類してホームページを効率的に管理する一連の過程に苦労している実情である。
【発明の概要】
【発明が解決しようとする課題】
【０００９】
本発明は上述した問題点を解決するためのもので、イベントページを容易に製作することができるようにするテンプレートを管理者端末機に提供するが、前記製作されたイベントページに接続する顧客端末機の活動情報及び顧客の情報を収集して自動的に分類し、所定の項目別に統計分析及びチャート製作を行うことで販売をサポートするマーケティングシステムを提供することをその目的とする。
【００１０】
しかしながら、本発明の目的は、前述の目的に制限されず、言及されなかった他の目的は以下の記載から当業者に明確に理解され得る。
【課題を解決するための手段】
【００１１】
前記目的を達するために、本発明は顧客端末機と管理者端末機を連動して商品の販売をサポートするマーケティングシステムにおいて、前記管理者端末機にイベントページ製作ツールを提供してイベントページに対する情報を受信し、前記受信したイベントページを前記顧客端末機に送信する中央サーバー１００と、前記中央サーバーからイベントページ製作ツールを受信して、該変数を入力してイベントページを製作する管理者端末機２００と、前記中央サーバーから前記管理者端末機が製作したイベントページを受信して前記イベントページで提供する過程を実行しながら必要な情報を入力する顧客端末機とを含む。
【００１２】
また、前記中央サーバーから前記管理者端末機に提供される前記イベントページ製作ツールには前記メインイメージをアップロードすることができるメインイメージアップロードメニューと、前記メインイメージとリンクされるメインイメージアドレスを入力してアップロードすることができるメインアドレス入力メニューと、前記移動ボタンのイメージをアップロードすることができるボタンイメージアップロードメニューと、前記移動ボタンとリンクされる移動ボタンアドレスを入力してアップロードすることができるボタンアドレス入力メニューとで構成され、前記管理者端末機は前記メインイメージアップロードメニューと前記メインアドレス入力メニューの入力を通じてメインイメージとメインイメージアドレスを前記中央サーバーにアップロードさせ、前記ボタンイメージアップロードメニューと前記ボタンアドレス入力メニューの入力を通じて移動ボタンがイメージと移動ボタンのアドレスを前記中央サーバーにアップロードさせることを特徴とする。
【００１３】
前記移動ボタン４２０は前記顧客端末機で商品を購買することができる購買ページのＵＲＬリンクが連動された第１移動ボタン４２１と、顧客端末機の名前、連絡先、性別、出生日情報を含む個人情報を入力するアンケート調査回答ページが連動された第２移動ボタン４２２と、商品の販売情報が提供されたページのＵＲＬリンクが連動された第３移動ボタン４２３とを含み、前記それぞれの移動ボタンをクリックした時、端末機にディスプレイされるそれぞれのページは一側端にイベントページ４００のメインに戻るメインボタン４３０を含むことを特徴とする。
【００１４】
また、前記移動ボタン４２０は前記顧客端末機で商品を購買することができる購買ページのＵＲＬリンクが連動された第１移動ボタン４２１と、顧客端末機の名前、連絡先、性別、出生日情報を含む個人情報を入力するアンケート調査回答ページが連動された第２移動ボタン４２２と、商品の販売情報が提供されたページのＵＲＬリンクが連動された第３移動ボタン４２３とを含み、前記それぞれの移動ボタンをクリックした時、端末機にディスプレイされるそれぞれのページは一側端にイベントページ４００のメインに戻るメインボタン４３０を含む。
【００１５】
また、前記中央サーバー１００は前記顧客端末機及び前記管理者端末機とデータを送受信する送受信部１１０と、前記管理者端末機２００にイベントページの製作のための製作ページを提供するが、前記製作ページには情報を入力するための項目入力画面情報を提供する製作ツール１２０が含まれ、また前記中央サーバーは前記製作ページを通じて管理者端末機によって入力されたイベントページの構成情報を保存するページ情報データベース１３０と、前記イベントページに接続して顧客端末機が入力する情報を収集する顧客情報取得部１４０と、前記顧客情報取得部１４０によって収集された顧客端末機の情報を保存する顧客情報データベース１５０と、前記顧客情報データベース１５０に保存された複数の顧客端末機情報を年齢、性別、イベント内に存在するそれぞれのボタンクリック数、流入経路を含む項目別に分類して、これをチャート化するかまたは統計分析して結果ページ５００を生成するデータ分析モジュールと、前記データ分析モジュールを通じて分析された資料をエクセルファイルに変換する機能を実行するデータ出力モジュール１７０とを含む。
【００１６】
また、前記メインイメージアドレスには流入経路情報が含まれ、前記顧客端末機が何れの位置で前記イベントページに接続すれば、前記顧客情報取得部１４０は顧客が接続したＵＲＬを獲得し、前記ＵＲＬから流入経路情報を確認して顧客端末機の流入経路を区分し、また前記顧客端末機２１０が接続した接続地域を顧客端末機２１０のＧＰＳシステムを通じて収集するかまたは基地局を通じて顧客端末機の位置情報を受信し、前記顧客端末機２１０を通じて入力されたアンケート調査個人情報データをさらに取得する。
【００１７】
また、前記中央サーバーは、製作が完了されたイベントページに接続する複数の顧客端末機で入力された情報をチャート化または統計分析してその結果を前記管理者端末機２００に伝達してディスプレイする結果ページ５００を提供する。
【００１８】
そして、前記製作ページ３００はＩＤとパスワードを入力するログイン画面３１０と、前記管理者端末機２００で登録するＩＤとパスワードを含む会員情報を新規登録するページを提供する会員情報入力ボタン３２０とを含む。
【００１９】
また、前記結果ページ５００は顧客情報データベースに保存された個人情報を総合して各項目別に分析した顧客詳細情報シート５１０と、前記イベントページに接続した顧客の性別を分析して見せる性別分析チャート５２０と、各曜日別接続者数を分析してグラフ化した週間回答件数チャート５３０と、年齢別接続者数を分析してグラフ化した年齢別チャート５４０と含み、前記結果ページ５００はデータ出力モジュール１７０を用いてそれぞれの統計資料をエクセルファイルに変換する。
【００２０】
また、前記顧客詳細情報シートにはイベントページ接続者数と、メインボタンクリック数と、１番移動ボタンクリック数と、２番移動ボタンクリック数と、３番移動ボタンクリック数が含まれ、前記クリック数を分析してイベント関心率、購買可能率、得意先可能率、会員加入率、イベント活性化率、ＳＮＳ依存率に分類することにより顧客の詳細情報を提供する。
【００２１】
また、前記イベント関心率はメインボタンクリック数を全体イベントページ接続者数で割った値、または第１移動ボタン、第２移動ボタン及び第３移動ボタンのクリック率を合算した値で定義し、前記購買可能率は第１移動ボタンクリック数を全体イベントページ接続者数で割った値で定義し、前記得意先可能率は第２移動ボタンクリック数を全体イベントページ接続者数で割った値で定義し、前記会員加入率は第２移動ボタンをクリックしてアンケート調査に顧客情報を全部入れた顧客数を全体イベントページ接続者数で割った値で定義し、前記イベント活性化率は第１移動ボタン、第２移動ボタン及び第３移動ボタンをクリックした回数を全部加えた後３で割って平均点数を作り、この平均点数を全体イベントページ接続者数で割った値で定義する。
【００２２】
そしてＳＮＳ依存率はＳＮＳで流入されたクリック数を合わせて全体イベントページ接続者数で割った値で定義し、ＳＮＳ外マーケティングとＳＮＳマーケティングの比重を比較する。
【００２３】
そして、前記製作ページ３００は、イベントページ４００の進行開始日と進行終了日を入力するスケジュール管理部３３０を含む。
【００２４】
本発明の特徴及び利点は添付図面に基づいた以下の詳細な説明によりさらに明らかになり得る。
【００２５】
説明に先だち、本明細書及び特許請求範囲に用いられた用語や単語は通常的で辞書的意味に解釈されてはならなく、発明者がその自分の発明を最も最善の方法で説明するために用語の概念を適切に定義することができるという原則に即して本発明の技術的思想に符合する意味と概念に解釈されるべきである。
【発明の効果】
【００２６】
以上で説明したように、本発明によれば、イベントページ製作のためのテンプレートを前記管理者端末機に提供することによりページ製作過程で発生するエラーを減少し、迅速にホームページを製作することができるだけでなく、製作が完了されたイベントページに接続する顧客端末機の情報と活動情報を収集して自動的に収集された顧客端末機の情報データをチャート化するか統計分析を行うマーケティングシステムを提供する。
【００２７】
特に、マーケティング管理に対する知識を有しない一般人に自動的に統計分析結果ページをディスプレイすることにより、誰でも容易にイベントページをより効率的に管理することができるという効果を奏する。
【図面の簡単な説明】
【００２８】
【図１】本発明のマーケティングシステムの構成を詳しく示した図である。
【図２】本発明のマーケティングシステムにおいてイベントページが顧客端末機にディスプレイされた状態を示した図である。
【図３】本発明のマーケティングシステムにおいて製作ページのログイン画面を示した図である。
【図４】本発明のマーケティングシステムにおいて結果ページの一例を示した図である。
【図５】本発明のマーケティングシステムにおいて顧客詳細情報シートを示した図である。
【図６】本発明のマーケティングシステムにおいて結果ページに統計分析が完了された状態を示した図である。
【図７】本発明のマーケティングシステムにおいて製作ページを示した図である。
【図８】本発明のマーケティングシステムの概略的な流れを示した図である。
【図９】本発明のマーケティングシステムにおいて流入経路によって変わるメインイメージアドレスバーを示した図である。
【発明を実施するための形態】
【００２９】
以下、本発明の好ましい実施例を添付された図面を参照して説明する。この過程で図面に示した複数の線の厚さや構成要素の大きさなどは説明の明瞭性と便宜性のために誇張されて図示される場合がある。
【００３０】
また、後述される用語は本発明での機能を考慮して定義された用語で、これは使用者、運用者の意図または慣例によって変わることができる。その故、このような用語は本明細書の全般にわたった内容に基づいて定義されるべきである。
【００３１】
同時に、以下の実施例は本発明の権利範囲を限定するのではなく、本発明の請求範囲に提示された構成要素の例示的な事項に過ぎず、本発明の明細書全般にわたった技術思想に含まれ、請求範囲の構成要素で均等物として置換可能な構成要素を含む実施例は本発明の権利範囲に含まれることができる。
【００３２】
添付された図１は本発明のマーケティングシステムの構成を詳しく示した図である。
【００３３】
図１を参照すれば、本発明は顧客端末機と管理者端末機に商品の販売をサポートするマーケティングシステムにおいて、前記顧客端末機と管理者端末機を連動させてイベントページ４００データを送受信する中央サーバー１００と、サーバーでＩＤが付与されてイベントページを製作し、前記製作されたイベントページのメイン画面に接続する顧客端末機の情報をサーバーから提供される管理者端末機２００と、前記サーバーからイベントページ４００が提供される顧客端末機とを含む。
【００３４】
より詳しく説明すれば、前記中央サーバー１００は、前記顧客端末機及び前記管理者端末機とデータを送受信する送受信部１１０と、前記管理者端末機２００にイベントページを製作するための製作ページを提供するが、前記製作ページには情報を入力するための項目入力画面情報を提供する製作ツール１２０とが含まれる。
【００３５】
また、前記中央サーバーは前記製作ページを通じて管理者端末機によって入力されたイベントページの構成情報を保存するページ情報データベース１３０と、前記イベントページに接続して顧客端末機が入力する情報を収集する顧客情報取得部１４０と、前記顧客情報取得部１４０によって収集された顧客端末機の情報を保存する顧客情報データベース１５０と、前記顧客情報データベース１５０に保存された複数の顧客端末機情報を年齢、性別、イベント内に存在するそれぞれのボタンクリック数、流入経路を含む項目別に分類して、これをチャート化するかまたは統計分析して結果ページ５００を生成するデータ分析モジュールと、前記データ分析モジュールを通じて分析された資料をエクセルファイルに変換する機能を実行するデータ出力モジュール１７０とを含む。
【００３６】
また、前記顧客情報取得部１４０は、各種ＳＮＳとオープンマーケットを通じて前記マーケティングイベントページ４００に接続する顧客端末機の流入経路を前記マーケティングイベントページ４００のＵＲＬを通じて区分し、また前記顧客端末機２１０の接続地域を顧客端末機２１０のＧＰＳシステムを通じて自動的に収集するかまたは基地局を通じて顧客端末機の位置情報を収集して前記顧客端末機２１０を通じて入力されたアンケート調査個人情報データをさらに取得する。
【００３７】
また、前記管理者端末機のＩＤは、前記管理者端末機２００で前記会員加入ボタンをクリックして前記サーバーにＩＤとパスワードを記載してサーバーに送信することによりアカウント情報を登録し、前記アカウント情報はそれぞれのＳＮＳページに登録されたイベントページ別に互いに異なるＩＤとパスワードを利用してログインすることができることを特徴とする。
【００３８】
添付された図２は本発明のマーケティングシステムにおいて、イベントページが顧客端末機にディスプレイされた状態を示した図である。
【００３９】
図２を参照すれば、前記イベントページ４００はメイン画面にディスプレイされるメインイメージ４１０と、前記メイン画面の一部分にディスプレイされる一つ以上の移動ボタン４２０とを含み、前記メインイメージと前記移動ボタンはそれぞれのＵＲＬがリンクされて前記メインイメージ或いは移動ボタンイメージを入力すれば該ＵＲＬに移動される。
【００４０】
前記移動ボタン４２０は前記顧客端末機で商品を購買することができる購買ページのＵＲＬリンクが連動された第１移動ボタン４２１と、顧客端末機の名前、連絡先、性別、出生日情報を含む個人情報を入力するアンケート調査回答ページが連動された第２移動ボタン４２２と、商品の販売情報が提供されたページのＵＲＬリンクが連動された第３移動ボタン４２３とを含み、前記それぞれの移動ボタンをクリックした時、端末機にディスプレイされるそれぞれのページは一側端にイベントページ４００のメインに戻るメインボタン４３０を含む。
【００４１】
添付された図３は本発明のマーケティングシステムにおいて、製作ページのログイン画面を示した図である。
【００４２】
図３を参照すれば、前記サーバーは、管理者端末機２００に前記ログイン認証が完了された管理者端末機２００にイベントページを製作することができる製作ツールを含む製作ページ３００を提供する。
【００４３】
前記中央サーバーから前記管理者端末機に提供される前記製作ページ３００には前記メインイメージをアップロードすることができるメインイメージアップロードメニューと、前記メインイメージとリンクされるメインイメージアドレスを入力してアップロードすることができるメインアドレス入力メニューと、前記移動ボタンのイメージをアップロードすることができるボタンイメージアップロードメニューと、前記移動ボタンとリンクされる移動ボタンアドレスを入力してアップロードすることができるボタンアドレス入力メニューとで構成されて、前記管理者端末機は前記メインイメージアップロードメニューと前記メインアドレス入力メニューの入力を通じてメインイメージとメインイメージアドレスを前記中央サーバーにアップロードさせ、前記ボタンイメージアップロードメニューと前記ボタンアドレス入力メニューの入力を通じて移動ボタンがイメージと移動ボタンのアドレスを前記中央サーバーにアップロードする。
【００４４】
また、前記製作ページ３００はＩＤとパスワードを入力するログイン画面３１０と、前記管理者端末機２００で登録するＩＤとパスワードを含む会員情報を新規登録するページを提供する会員情報入力ボタン３２０とを含む。
【００４５】
添付された図４は本発明のマーケティングシステムにおいて結果ページの一例を示した図である。
【００４６】
図４を参照すれば、前記中央サーバーは製作が完了されたイベントページに接続する複数の顧客端末機で入力された情報をチャート化または統計分析してその結果を前記管理者端末機２００に伝達してディスプレイする結果ページ５００を提供する。
【００４７】
より詳しく説明すれば、前記結果ページ５００は顧客情報データベースに保存された個人情報を総合して各項目別に分析した顧客詳細情報シート５１０と、前記イベントページに接続した顧客の性別を分析して見せる性別分析チャート５２０と、各曜日別接続者数を分析してグラフ化した週間回答件数チャート５３０と、年齢別接続者数を分析してグラフ化した年齢別チャート５４０とを含み、前記結果ページ５００はデータ出力モジュール１７０を用いてそれぞれの統計資料をエクセルファイルに変換する。
【００４８】
前記で結果ページ５００はデータ出力モジュール１７０を用いてそれぞれの統計資料をエクセルファイルに変換して前記管理者端末機に保存することができるようにダウンロード機能をサポートすることを特徴とする。
【００４９】
添付された図５は本発明のマーケティングシステムにおいて顧客詳細情報シートを示した図である。
【００５０】
図５を参照すれば、前記結果ページ５００は顧客情報データベースに保存された個人情報を総合して各項目別に分類した顧客詳細情報シート５１０を含む。
【００５１】
前記顧客詳細情報シートはイベントページに接続した複数の顧客端末機で収集したそれぞれの情報を各項目別にリスト化して管理者端末機にディスプレイされることを特徴とする。
【００５２】
添付された図６は本発明のマーケティングシステムにおいて結果ページに統計分析が完了された状態を示した図である。
【００５３】
図６を参照すれば、前記顧客詳細情報シート５１０は、前記顧客詳細情報シートにはイベントページ接続者数と、メインボタンクリック数と、１番移動ボタンクリック数と、２番移動ボタンクリック数と、３番移動ボタンクリック数が含まれ、前記クリック数を分析してイベント関心率、購買可能率、得意先可能率、会員加入率、イベント活性化率及びＳＮＳ依存率に分類して顧客の詳細情報を提供する。
【００５４】
前記イベント関心率はメインボタンクリック数を全体イベントページ接続者数で割った値であるかまたは第１移動ボタンと第２移動ボタン及び第３移動ボタンのクリック率を合算した値で定義し、前記購買可能率は第１移動ボタンクリック数を全体イベントページ接続者数で割った値で定義し、前記得意先可能率は第２移動ボタンクリック数を全体イベントページ接続者数で割った値で定義し、前記会員加入率は第２移動ボタンをクリックしてアンケート調査に顧客情報を全部入れた顧客数を全体イベントページ接続者数で割った値で定義し、前記イベント活性化率は第１移動ボタンと第２移動ボタン及び第３移動ボタンをクリックした回数を全部加えた後３で割って平均点数を作り、この平均点数を全体イベントページ接続者数で割った値で定義する（図６ａ参照）。またＳＮＳ依存率はＳＮＳで流入されたクリック数を合わせて全体イベントページ接続者数で割った値で定義し、ＳＮＳ外マーケティングとＳＮＳマーケティングの比重を比較することを特徴とする（図６ｂ参照）。
【００５５】
添付された図７は本発明のマーケティングシステムにおいて製作ページを示した図である。
【００５６】
図７を参照すれば、前記製作ページ３００の製作ツールには前記メインイメージをアップロードすることができるメインイメージアップロードメニュー３４０と、前記メインイメージとリンクされるメインイメージアドレスを入力してアップロードすることができるメインアドレス入力メニュー３５０と、前記移動ボタンのイメージをアップロードすることができるボタンイメージアップロードメニュー３４１と、前記移動ボタンとリンクされる移動ボタンアドレスを入力してアップロードすることができるボタンアドレス入力メニュー３５１とで構成されて、前記管理者端末機は前記メインイメージアップロードメニューと前記メインアドレス入力メニューの入力を通じてメインイメージとメインイメージアドレスを前記中央サーバーにアップロードさせ、前記ボタンイメージアップロードメニューと前記ボタンアドレス入力メニューの入力を通じて移動ボタンがイメージと移動ボタンのアドレスを前記中央サーバーにアップロードさせる。
【００５７】
より詳しく説明すれば、前記スケジュール管理部３３０において開始日は自動的に生成され、終了日は前記管理者端末機で直接入力することを特徴とする。
【００５８】
添付された図８は本発明のマーケティングシステムの概略的な流れを示した図である。
【００５９】
図８を参照すれば、前記管理者端末機２００は製作完了されたイベントページ４００情報を前記サーバーに送信し、前記サーバーは管理者端末機２００から製作完了されたイベントページ４００情報をページ情報データベース１３０に保存し、顧客端末機で前記サーバーにページ要請信号を送信すれば、前記サーバーは製作完了されたイベントページ４００を前記顧客端末機にディスプレイし、前記サーバーに搭載された顧客情報取得部１４０を通じて顧客端末機の情報を収集し、前記顧客端末機の各ページ要請信号を含む行動を記録して前記顧客情報データベース１５０に保存し、前記サーバーは前記管理者端末機２００から結果ページ５００要請信号が受信されると、前記顧客情報データベース１５０に保存されたデータをデータ分析モジュール１６０を通じてチャート化して前記管理者端末機２００に提供する。
【００６０】
図９は本発明のマーケティングシステムにおいて流入経路によって変わるメインイメージアドレスバーを示した図である。
【００６１】
図９を参照すれば、前記メインイメージアドレスには流入経路情報が含まれ、前記顧客端末機が何れの位置で前記イベントページに接続すれば前記顧客情報取得部１４０は顧客が接続したＵＲＬを獲得し、前記ＵＲＬから流入経路情報を確認して顧客端末機の流入経路を区分し、また前記顧客端末機２１０が接続した接続地域を顧客端末機２１０のＧＰＳシステムを通じて自動的に収集するかまたは基地局を通じて顧客端末機の位置情報を収集して前記顧客端末機２１０を通じて入力されたアンケート調査個人情報データをさらに取得する。
【００６２】
より詳しく説明すれば、メインイメージのアドレスが１１．ｃｏ．ｋｒの場合（図９のａ参照）、フェイスブックに露出させる場合、１１．ｃｏ．ｋｒ／ｆとして流入経路情報に／ｆを追加することで顧客端末機が何れの位置で接続した時、顧客情報取得部でイベントページを接続したＵＲＬを獲得し、獲得した流入経路情報を確認することにより流入経路を確認することができる（図９ｂ参照）。
【００６３】
また、前記ネイバーブログで前記イベントページを露出させる場合、１１．ｃｏ．ｋｒ／ｎのようにして流入経路に／ｎを追加することで顧客端末機がネイバーブログで前記イベントページに接続した時、顧客情報取得部でイベントページのＵＲＬを獲得し、獲得した流入経路情報を確認することにより流入経路を確認することができる（図９ｃ参照）。
【００６４】
以上、本発明を具体的な実施例を通じて詳しく説明したが、これは本発明を具体的に説明するためのもので、本発明はこれに限定されず、本発明の技術的思想内で当該分野において通常の知識を有する者によってその変形や改良が可能であることは明白である。
【００６５】
本発明の単純な変形乃至変更は全部本発明の範疇に属し、本発明の具体的な保護範囲は添付された特許請求範囲によって明確になり得る。
【符号の説明】
【００６６】
１００  中央サーバー
１１０  送受信部
１２０  製作ツール
１３０  ページ情報データベース
１４０  顧客情報取得部
１５０  顧客情報データベース
１６０  データ分析モジュール
１７０  データ出力モジュール
２００  管理者端末機
２１０  顧客端末機
３００  製作ページ
３１０  ログイン画面
３２０  会員情報入力ボタン
３３０  スケジュール管理部
３４０  メインイメージアップロードメニュー
３４１  ボタンイメージアップロードメニュー
３５０  メインアドレス入力メニュー
３５１  ボタンアドレス入力メニュー
４００  イベントページ
４１０  メインイメージ
４２０  移動ボタン
４３０  メインボタン
５００  結果ページ
５１０  顧客詳細情報シート
５２０  性別分析チャート
５３０  回答件数チャート
５４０  年齢別チャート
【図１】
2021526264.tif 000003
【図２】
2021526264.tif 000004
【図３】
2021526264.tif 000005
【図４】
2021526264.tif 000006
【図５】
2021526264.tif 000007
【図６】
2021526264.tif 000008
【図７】
2021526264.tif 000009
【図８】
2021526264.tif 000010
【図９】
2021526264.tif 000011
【国際調査報告】
2021526264.tif 000012
2021526264.tif 000013
2021526264.tif 000014
2021526264.tif 000015